(57)【要約】【課題】電池の膨張を考慮したクリアランスを確保するとともに、表示パネルに対する衝撃を緩衝することができる携帯端末を提供することを目的とする。【解決手段】携帯電話機１は、表側キャビネット４と一体的に形成され、表示用凹部３の裏側に配置された電池収容部１０を有する金属板１３と、表示用凹部３に嵌め込まれた表示パネル２と、表示パネル２を覆うように、表示パネル２に取り付けられたタッチパネル８と、電池収容部１０に収容され、表示パネル２と金属板１３との間に配置された電池２０と、表示パネル２と電池２０との間に設けられ、平面視において、電池２０と重なるように形成された開口部１７を有するクッション部材１５とを備えている。【選択図】図２
2014017718.tif 000002
【特許請求の範囲】
【請求項１】
表側に表示用凹部を有するキャビネットと、
前記キャビネットと一体的に形成され、前記表示用凹部の裏側に配置された電池収容部を有する金属板と、
前記表示用凹部に嵌め込まれた表示パネルと、
前記表示パネルを覆うように、該表示パネルに取り付けられた保護パネルと、
前記電池収容部に収容され、前記表示パネルと前記金属板との間に配置された電池と、
前記表示パネルと前記電池との間に設けられ、平面視において、前記電池と重なるように形成された開口部を有するクッション部材と
を備えることを特徴とする携帯端末。
【請求項２】
前記電池の、前記表示パネル側の表面の中央部分が露出するように、前記開口部が形成されていることを特徴とする請求項１に記載の携帯端末。
【請求項３】
前記クッション部材は、矩形枠状に形成されていることを特徴とする請求項１または請求項２に記載の携帯端末。
【請求項４】
表側に表示用凹部を有するキャビネットと、
前記キャビネットと一体的に形成され、前記表示用凹部の裏側に配置された電池用凹部を有する金属板と、
前記表示用凹部に嵌め込まれた表示パネルと、
前記表示パネルを覆うように、該表示パネルに取り付けられた保護パネルと、
前記電池用凹部に嵌め込まれ、前記表示パネルと前記金属板との間に配置された電池と、
前記表示パネルと前記電池との間に設けられ、平面視において、前記電池と重なるように形成された開口部を有するクッション部材と
を備えることを特徴とする携帯端末。
【請求項５】
前記電池の、前記表示パネル側の表面の中央部分が露出するように、前記開口部が形成されていることを特徴とする請求項４に記載の携帯端末。
【請求項６】
前記クッション部材は、矩形枠状に形成されていることを特徴とする請求項４または請求項５に記載の携帯端末。
【請求項７】
前記表示パネルが、液晶表示パネルまたは有機ＥＬ表示パネルであることを特徴とする請求項１〜請求項６のいずれか１項に記載の携帯端末。
【請求項８】
前記保護パネルが、タッチパネルであることを特徴とする請求項１〜請求項７のいずれか１項に記載の携帯端末。
【発明の詳細な説明】
【技術分野】
【０００１】
本発明は、表示パネルを有する携帯端末に関し、特に、表示パネルを保護する技術に関するものである。
【背景技術】
【０００２】
従来、携帯電話機に代表される、表示パネルを有する携帯端末においては、落下等に起因する表示パネルに対する衝撃を緩衝して、表示パネルの破損を防止するためのクッション部材が設けられたものが提案されている。
【０００３】
より具体的には、例えば、表示パネルの裏側（即ち、携帯電話機の表示側と反対側）に配置され、表示パネルの裏側から表示パネルを保持するクッション部材を備えた携帯端末が開示されている。このクッション部材は、表示パネルの裏側の全面を支持するように配置され、キャビネット内に収容されている（例えば、特許文献１参照）。
【先行技術文献】
【特許文献】
【０００４】
【特許文献１】特開２０１１−２０５５３９号公報
【発明の概要】
【発明が解決しようとする課題】
【０００５】
ここで、一般に、携帯端末においては、電池が搭載されているが、このクッション部材を介して、電池を表示パネルの裏側に配置した場合、繰り返し行われる充放電に起因して電池が膨張すると、クッション部材を介して、膨張した電池により表示パネルが突き上げられてしまい、表示パネルに滲み模様が発生したり、携帯電話機が変形してしまうという問題があった。
【０００６】
また、このような電池の膨張に起因する滲み模様や変形の発生を防止するために、表示パネルとクッション部材とのクリアランスを大きくすることも考えられるが、表示パネルとクッション部材とのクリアランスを大きくすると、クッション部材により表示パネルを支持することが困難になる。その結果、例えば、表示パネルの表面に強い力が作用した場合、表示パネルと、表示パネルを表側（即ち、携帯電話機の表示側）から覆うように、表示パネルに取り付けられたカバーガラスとが剥離してしまうという問題があった。
【０００７】
そこで、本発明は、上述の問題に鑑みてなされたものであり、電池の膨張を考慮したクリアランスを確保するとともに、表示パネルに対する衝撃を緩衝することができる携帯端末を提供することを目的とする。
【課題を解決するための手段】
【０００８】
上記目的を達成するために、本発明の第１の携帯端末は、表側に表示用凹部を有するキャビネットと、キャビネットと一体的に形成され、表示用凹部の裏側に配置された電池収容部を有する金属板と、表示用凹部に嵌め込まれた表示パネルと、表示パネルを覆うように、該表示パネルに取り付けられた保護パネルと、電池収容部に収容され、表示パネルと金属板との間に配置された電池と、表示パネルと電池との間に設けられ、平面視において、電池と重なるように形成された開口部を有するクッション部材とを備えることを特徴とする。
【０００９】
同構成によれば、クッション部材の開口部において、表示パネルと電池とのクリアランスを確保することができるため、クッション部材を介して、電池を表示パネルの裏側に配置し、充放電に起因して電池が膨張した場合であっても、クッション部材を介して、膨張した電池により表示パネルが突き上げられるという不都合を防止することができる。従って、電池の膨張に起因する、表示パネルにおける滲み模様の発生、及び携帯端末の変形を防止することが可能になる。
【００１０】
また、クッション部材の、開口部以外の部分においては、表示パネルの裏側から表示パネルを保持して、表示パネルに対する衝撃を緩衝することができるため、例えば、表示パネルの表面に強い力が作用した場合であっても、表示パネルと保護パネルとが剥離することを防止することが可能になる。
【００１１】
本発明の第１の携帯端末においては、電池の、表示パネル側の表面の中央部分が露出するように、開口部が形成されていてもよい。
【００１２】
同構成によれば、開口部により、充放電に起因して電池が最も膨張する部分を露出させることができるため、膨張した電池により表示パネルが突き上げられるという不都合の発生をより一層防止することができる。
【００１３】
本発明の第１の携帯端末においては、クッション部材は、矩形枠状に形成されていてもよい。
【００１４】
本発明の第２の携帯端末は、表側に表示用凹部を有するキャビネットと、キャビネットと一体的に形成され、表示用凹部の裏側に配置された電池用凹部を有する金属板と、表示用凹部に嵌め込まれた表示パネルと、表示パネルを覆うように、表示パネルに取り付けられた保護パネルと、電池用凹部に嵌め込まれ、表示パネルと金属板との間に配置された電池と、表示パネルと電池との間に設けられ、平面視において、電池と重なるように形成された開口部を有するクッション部材とを備えることを特徴とする。
【００１５】
同構成によれば、クッション部材の開口部において、表示パネルと電池とのクリアランスを確保することができるため、クッション部材を介して、電池を表示パネルの裏側に配置し、充放電に起因して電池が膨張した場合であっても、クッション部材を介して、膨張した電池により表示パネルが突き上げられるという不都合を防止することができる。従って、電池の膨張に起因する、表示パネルにおける滲み模様の発生、及び携帯端末の変形を防止することが可能になる。
【００１６】
また、クッション部材の、開口部以外の部分においては、表示パネルの裏側から表示パネルを保持して、表示パネルに対する衝撃を緩衝することができるため、例えば、表示パネルの表面に強い力が作用した場合であっても、表示パネルと保護パネルとが剥離することを防止することが可能になる。
【００１７】
本発明の第２の携帯端末においては、電池の、表示パネル側の表面の中央部分が露出するように、開口部が形成されていてもよい。
【００１８】
同構成によれば、開口部により、充放電に起因して電池が最も膨張する部分を露出させることができるため、膨張した電池により表示パネルが突き上げられるという不都合の発生をより一層防止することができる。
【００１９】
本発明の第２の携帯端末においては、クッション部材は、矩形枠状に形成されていてもよい。
【００２０】
また、本発明の携帯端末においては、電池の膨張に起因する携帯端末の変形等の不都合の発生を防止して、表示パネルと保護パネルとの剥離を防止することができるという優れた特性を備えている。従って、本発明は、表示パネルが、液晶表示パネルまたは有機ＥＬ表示パネルである携帯端末や、保護パネルが、タッチパネルである携帯端末に好適に使用できる。
【発明の効果】
【００２１】
本発明によれば、電池の膨張に起因する携帯端末の変形等の不都合の発生を防止して、表示パネルと保護パネルとの剥離を防止することができる携帯端末を提供することができる。
【図面の簡単な説明】
【００２２】
【図１】本発明の第１の実施形態に係る携帯電話機の平面図である。
【図２】図１のＡ−Ａ断面図である。
【図３】本発明の第１の実施形態に係る携帯電話機における電池及びクッション部材の配置を説明するための分解斜視図である。
【図４】本発明の第１の実施形態に係る携帯電話機において使用される表示パネルを説明するための断面図である。
【図５】本発明の第１の実施形態に係る携帯電話機におけるクッション部材と電池の位置関係を説明するための平面図である。
【図６】本発明の第２の実施形態に係る携帯電話機の平面図である。
【図７】図６のＢ−Ｂ断面図である。
【図８】本発明の第２の実施形態に係る携帯電話機における電池及びクッション部材の配置を説明するための分解斜視図である。
【図９】本発明の変形例に係る携帯電話機の断面図である。
【発明を実施するための形態】
【００２３】
以下、本発明の実施形態を図面に基づいて詳細に説明する。尚、本発明は、以下の実施形態に限定されるものではない。
【００２４】
（第１の実施形態）
図１は、本発明の第１の実施形態に係る携帯電話機の平面図であり、図２は、図１のＡ−Ａ断面図である。また、図３は、本発明の第１の実施形態に係る携帯電話機における電池及びクッション部材の配置を説明するための分解斜視図であり、図４は、本発明の第１の実施形態に係る携帯電話機において使用される表示パネルを説明するための断面図である。また、図５は、本発明の第１の実施形態に係る携帯電話機におけるクッション部材と電池の位置関係を説明するための平面図である。
【００２５】
本実施形態の携帯電話機１は、タッチパネル付携帯端末であり、図１、図２に示すように、表示パネル２と、表示パネル２の表側（図２に示す矢印Ｘ側であって、携帯電話機１の表示側）に、表示パネル２を収容するための表示用凹部３を有する表側キャビネット４と、矩形板状の電池２０と、矩形板状の回路基板５と、この回路基板５を収容する矩形皿状の裏側キャビネット６とを備えている。
【００２６】
また、図１、図２に示すように、携帯電話機１は、例えば、複数の画素等で構成される表示領域Ｄと、表示領域Ｄの周辺に設けられた額縁領域Ｆとを備えている。
【００２７】
また、表側キャビネット４における表示用凹部３の周縁には、矩形枠状にタッチパネル用凹部７が形成されている。このタッチパネル用凹部７には、表示パネル２を表側から覆うように矩形板状の保護パネルであるタッチパネル８が設けられており、図２に示すように、タッチパネル８が、額縁領域Ｆに設けられた両面テープ９により、表側キャビネット４に貼り付けられている。
【００２８】
また、本実施形態においては、図２に示すように、表側キャビネット４と裏側キャビネット６には、額縁領域Ｆにおいて、互いに嵌合するように凹凸が形成されており、表側キャビネット４と裏側キャビネット６とが嵌合した状態で、ネジ等を使用して締結することにより、表側キャビネット４に裏側キャビネット６が取り付けられる構成となっている。
【００２９】
また、本実施形態においては、図２に示すように、回路基板５を収容する裏側キャビネット６を覆うカバー２１が設けられている。
【００３０】
表側キャビネット４、裏側キャビネット６、及びカバー２１は、例えば、ポリカーボネート樹脂、ＡＢＳ樹脂、ポリアミド樹脂等の樹脂や、これらの樹脂とガラスフィラーの混合物により形成されている。
【００３１】
また、表側キャビネット４は、表側キャビネット４を形成する樹脂と一体的に形成された金属板１３を備えている。この金属板１３は、携帯電話機１の剛性を向上させるためのものである。
【００３２】
なお、この金属板１３は、安価かつ汎用性のある材料により携帯電話機１の剛性を向上させるとの観点から、例えば、ステンレス（例えば、ＳＵＳ３０４）、アルミニウム、及びマグネシウム等の金属により形成されており、これらの金属のうち、耐久性及び強度が高いステンレスを使用することが好ましい。
【００３３】
また、本実施形態においては、図２に示すように、回路基板５は、金属板１３の裏側（図２に示す矢印Ｙ側であって、携帯電話機１の表示側と反対側）に配置されている。
【００３４】
この回路基板５は、図３に示すように、基板５ａと、この基板５ａに取り付けられた複数の回路部品５ｂとにより構成されている。
【００３５】
また、本実施形態における表示パネル２としては、例えば、液晶表示パネルや有機ＥＬ表示パネル等を使用することができる。
【００３６】
表示パネル２として、液晶表示パネルを使用する場合は、例えば、図４に示すように、ＴＦＴ基板２２と、ＴＦＴ基板２２に対向して配置されたＣＦ基板２３と、ＴＦＴ基板２２及びＣＦ基板２３の間に挟持して設けられた表示媒体層である液晶層２４と、ＴＦＴ基板２２とＣＦ基板２３との間に狭持され、ＴＦＴ基板２２及びＣＦ基板２３を互いに接着するとともに液晶層２４を封入するために枠状に設けられたシール材２５とを備えたものが使用できる。
【００３７】
このシール材２５は、液晶層２４を周回するように形成されており、ＴＦＴ基板２２とＣＦ基板２３は、このシール材２５を介して相互に貼り合わされている。
【００３８】
また、図２に示すように、表示パネル２は、タッチパネル８の裏側表面８ａに設けられた両面テープ１８により、タッチパネル８に貼り付けられている。
【００３９】
また、本実施形態においては、図２、図３に示すように、金属板１３が、表示用凹部３の裏側に配置された電池収容部１０を有するとともに、電池２０が電池収容部１０に収容され、表示パネル２と金属板１３との間に電池２０が配置されている。
【００４０】
従って、金属板１３の裏側に配置され、裏側キャビネット６に収容された回路基板５とは異なる空間（即ち、電池収容部１０）に電池２０が配置されるため、回路基板５に起因して電池２０のサイズに制約が生じることがなくなり、大型の電池２０を収容することが可能になる。その結果、高速処理化に対応することができる携帯電話機１を提供することが可能になる。
【００４１】
なお、電池収容部１０の表側表面（即ち、図２に示す矢印Ｘ側の表面であって、携帯電話機１の表示側の表面）１０ａには、接着剤層である両面テープ３０が設けられており、電池２０は、この両面テープ３０により、金属板１３に貼り付けられている。
【００４２】
ここで、本実施形態においては、図２、図３に示すように、表示用凹部３において、開口部１７が形成されたクッション部材１５が設けられている点に特徴がある。
【００４３】
より具体的には、このクッション部材１５は、図２、図３に示すように、表示パネル２と電池２０との間に設けられ、図５に示すように、平面視において、電池２０と重なるように形成された開口部１７を有している。
【００４４】
このような構成により、クッション部材１５の開口部１７において、表示パネル２と電池２０とのクリアランスを確保することができるため、クッション部材１５を介して、電池２０を表示パネル２の裏側に配置し、充放電に起因して電池２０が膨張した場合であっても、クッション部材１５を介して、膨張した電池２０により表示パネル２が突き上げられるという不都合を防止することができる。従って、電池２０の膨張に起因する、表示パネル２における滲み模様の発生、及び携帯電話機１の変形を防止することが可能になる。
【００４５】
また、クッション部材１５の、開口部１７以外の部分においては、表示パネル２の裏側から表示パネル２を保持して、表示パネル２に対する衝撃を緩衝することができるため、例えば、表示パネル２の表面に強い力が作用した場合であっても、両面テープ１８により互いに貼り付けられた表示パネル２とタッチパネル８とが剥離することを防止することができる。
【００４６】
即ち、本実施形態においては、開口部１７が形成されたクッション部材１５を設けることにより、電池２０の膨張を考慮したクリアランスを確保することができるとともに、表示パネル２に対する衝撃を緩衝することができる。
【００４７】
また、本実施形態においては、図５に示すように、クッション部材１５は矩形枠状に形成されており、図２、図５に示すように、電池２０の表示側表面（即ち、表示パネル２側の表面）の中央部分２０ａが露出するように、開口部１７が形成されている。
【００４８】
一般に、充放電に起因して電池２０が膨張する場合、電池２０の中央部分が最も膨張するため、上述のごとく、開口部１７により、電池２０の、表示パネル２側の表面の中央部分２０ａを露出させることにより、充放電に起因して電池２０が膨張した場合であっても、クッション部材１５を介して、膨張した電池２０により表示パネル２が突き上げられるという不都合をより一層防止することができる。
【００４９】
即ち、開口部１７により、充放電に起因して電池２０が最も膨張する部分を露出させることができるため、膨張した電池２０により表示パネル２が突き上げられるという不都合をより一層防止することができる。
【００５０】
なお、開口部１７の面積（即ち、平面視において、電池２０と重なる開口部１７の面積）は、使用する携帯電話機１や電池２０等に対応させて変更することができ、例えば、電池２０の表示側表面の面積をＳ１、開口部１７の面積をＳ２とした場合、０．１Ｓ１≦Ｓ２≦０．８Ｓ１に設定することができる。
【００５１】
また、クッション部材１５は、例えば、ポリオレフィン系発泡体、ポリウレタン系発泡体等の材料により形成されており、０．１ｍｍ程度の厚みを有する。また、図５に示すように、平面視において、クッション部材１５は、電池２０の外形と略同一の外形を有する。
【００５２】
次に、携帯電話機１の組み立て手順の一例について簡単に説明する。
【００５３】
まず、金属板１３が有する電池収容部１０の表側表面１０ａに両面テープ３０を設け、この両面テープ３０を介して、金属板１３に電池２０を貼り付けて、電池収容部１０に電池２０を収容する。
【００５４】
次いで、電池２０の表示側表面上に、開口部１７が形成されたクッション部材１５を載置する。この際、上述した、電池２０の表示側表面の中央部分２０ａが露出するように、開口部１７を配置する。
【００５５】
次いで、表側キャビネット４の表示用凹部３に、クッション部材１５及び電池２０を表側から覆うように表示パネル２を嵌め込み、表示パネル２と電池２０との間にクッション部材１５を配置する。この際、表示パネル２と金属板１３との間に電池２０が配置される。
【００５６】
次いで、表側キャビネット４に形成されたタッチパネル用凹部７に、両面テープ９を設け、この両面テープ９を介して、表側キャビネット４にタッチパネル８を貼り付けて、タッチパネル用凹部７に、表示パネル２を表側から覆うようにタッチパネル８を設ける。この際、両面テープ１８を介して、表示パネル２にタッチパネル８が貼り付けられる。
【００５７】
次いで、上述の凹凸により、表側キャビネット４と裏側キャビネット６とを嵌合し、表側キャビネット４と裏側キャビネット６とが嵌合した状態で、ネジ等を使用して締結することにより、表側キャビネット４に裏側キャビネット６を取り付ける。この際、裏側キャビネット６に収容された回路基板５は、金属板１３の裏側に配置される。
【００５８】
そして、裏側キャビネット６に、回路基板５を収容する裏側キャビネット６を覆うカバー２１を取り付けることにより、図２に示す携帯電話機１が製造される。
【００５９】
（第２の実施形態）
次に、本発明の第２の実施形態について説明する。図６は、本発明の第２の実施形態に係る携帯電話機の平面図であり、図７は、図６のＢ−Ｂ断面図である。また、図８は、本発明の第２の実施形態に係る携帯電話機における電池及びクッション部材の配置を説明するための分解斜視図である。
【００６０】
なお、本実施形態においては、上記第１の実施形態と同様の構成部分については同一の符号を付してその説明を省略する。また、クッション部材と電池の位置関係については、上述の第１の実施形態と同様であるため、ここでは詳しい説明を省略する。
【００６１】
本実施形態の携帯電話機３５においては、上述の電池収容部１０の代わりに、金属板１３に電池用凹部３３が形成されており、当該電池用凹部３３に電池２０が嵌め込まれて、表示パネル２と金属板１３との間に電池２０が配置されている点に特徴がある。
【００６２】
このような構成により、上述の第１の実施形態において説明した効果に加えて、以下の効果を得ることができる。
【００６３】
即ち、電池用凹部３３に嵌め込まれた電池２０の周囲を金属板１３により囲むことができるため、電池２０に対する外部からの衝撃を抑制して、電池２０の変形を抑制することが可能になる。
【００６４】
また、金属板１３を設けることによって、大型の電池２０を搭載することにより大型化した携帯電話機３５の剛性を向上させることができる。
【００６５】
携帯電話機３５を組み立てる際には、まず、金属板１３に形成された電池用凹部３３に電池２０を嵌め込み、電池用凹部３３に電池２０を設ける。
【００６６】
次いで、電池２０の表示側表面上に、開口部１７が形成されたクッション部材１５を載置する。この際、上述した、電池２０の表示側表面の中央部分２０ａが露出するように、開口部１７を配置する。
【００６７】
次いで、表側キャビネット４の表示用凹部３に、クッション部材１５及び電池２０を表側から覆うように表示パネル２を嵌め込み、表示パネル２と電池２０との間にクッション部材１５を配置する。この際、表示パネル２と金属板１３との間に電池２０が配置される。
【００６８】
次いで、上述の第１の実施形態の場合と同様にして、表側キャビネット４と表示パネル２に対して、タッチパネル８を貼り付け、その後、表側キャビネット４に、回路基板５を収容する裏側キャビネット６を取り付けるとともに、この裏側キャビネット６を覆うカバー２１を取り付けることにより、図７に示す携帯電話機３５が製造される。
【００６９】
なお、上記実施形態は以下のように変更しても良い。
【００７０】
図９に示すように、上記第２の実施形態において、電池用凹部３３の表側表面（即ち、図９に示す矢印Ｘ側の表面であって、携帯電話機３５の表示側の表面）３３ａに、接着剤層である両面テープ３４を設け、電池２０を、この両面テープ３４により、金属板１３に貼り付ける構成としてもよい。
【００７１】
また、上記実施形態においては、保護パネルとしてタッチパネル８を例に挙げて説明したが、このタッチパネルの代わりに、ガラスや透明な樹脂により形成された保護パネルを使用する構成としてもよい。
【００７２】
また、上記実施形態においては、携帯電話機を例に挙げて説明したが、本発明は、これに限定されず、例えば、ＰＨＳ（Personal Handy-phone System）、ＰＤＡ（Personal Digital Assistant）、パソコン、モバイルツール、電子辞書、ゲーム機等の表示パネルを有するものに適用することができる。
【産業上の利用可能性】
【００７３】
以上説明したように、本発明は、大型の電池を搭載した携帯端末に、特に有用である。
【符号の説明】
【００７４】
１    携帯電話機（携帯端末）
２    表示パネル 
３    表示用凹部  
４    表側キャビネット（キャビネット） 
５    回路基板 
５ａ    基板
５ｂ    回路部品
６    裏側キャビネット 
７    タッチパネル用凹部 
８    タッチパネル（保護パネル） 
１０    電池収容部
１０ａ    電池収容部の表側表面
１３    金属板
１５    クッション部材
１７    クッション部材の開口部
１８    両面テープ（接着剤層）
２０    電池
２１    カバー
２２    ＴＦＴ基板 
２３    ＣＦ基板 
２４    液晶層 
２５    シール材 
３０    両面テープ
３３    電池用凹部
３４    両面テープ
３５    携帯電話機
【図１】
2014017718.tif 000003
【図２】
2014017718.tif 000004
【図３】
2014017718.tif 000005
【図４】
2014017718.tif 000006
【図５】
2014017718.tif 000007
【図６】
2014017718.tif 000008
【図７】
2014017718.tif 000009
【図８】
2014017718.tif 000010
【図９】
2014017718.tif 000011